(57)【要約】【課題】  横方向に引戸引込部用のスペースをほとんど必要としない折れ曲り引戸の構造を簡単にして製造コストを低く抑えることができるようにする。【解決手段】  縦長の板材よりなる短冊状板１４の一方の側面に、側面からほぼ直立する状態で上端部から下端部まで伸びる目隠板１５を設け、他方の側面の前記目隠板１５に対応する位置に、目隠板１５を収納可能な竪溝１６を設ける。そのような短冊状板１４複数枚を、内側に折曲可能な状態で側端同士を連結して引戸本体を形成する。そのような引戸本体を、部屋出入口の上縁部から部屋内部側壁に渡って９０度湾曲させて水平に配設した上部ガイドレールに吊金具で吊り下げて開閉を行う。【選択図】        図２
2006016767.tif 000002
【特許請求の範囲】
【請求項１】
縦長の板材よりなり、一方の側面に、側面からほぼ直立する状態で上端部から下端部まで伸びる目隠板を有し、他方の側面の前記目隠板に対応する位置に、目隠板を収納可能な竪溝を有している短冊状板複数枚を、内側に折曲可能な状態で側端同士を連結した引戸本体と、部屋出入口の上縁部から部屋内部側壁に渡って９０度湾曲させて水平に配設した上部ガイドレールと、該上部ガイドレールと平行に、部屋出入口の下縁部から部屋内部側壁に渡って９０度湾曲させて配設した下部ガイドレールと、前記短冊状板の上端に水平方向に回転自在に取り付けられ、前記上部ガイドレールに対して長手方向に滑動自在に係合して短冊状板を上部ガイドレールに対して移動自在に吊り下げる吊金具と、前記短冊状板の下端に水平方向に回転自在に取り付けられ、前記下部ガイドレールに対して長手方向に滑動自在に係合して短冊状板下端部を下部ガイドレールに沿ってガイドするガイド金具とを具えたことを特徴とする折れ曲り引戸。
【発明の詳細な説明】
【技術分野】
【０００１】
本発明は、トイレ，居室等の出入口を開閉するのに好適な折れ曲り引戸に関するものである。
【背景技術】
【０００２】
従来、部屋の出入口に引戸を設ける場合、引戸をスライドさせて部屋の出入口を全開する際に引戸全体を収納できるように、出入口の幅と同程度の幅の引込部が必要であった。特に、トイレのように幅の狭い部屋では、引込部を設けるスペースを確保しにくく、引戸の採用をあきらめざるを得ない場合が多々あった。
【０００３】
そこで、特許文献１，２に示されるように、引戸を前後方向に折れ曲り可能な構造にして、引戸を開ける際に、引戸を９０度折り曲げて収納するようにした技術が提案されている。すなわち、特許文献１のものは、アルミニウム等の押出型材製の細長部材の両側端部に関節部を形成し、該関節部により複数枚の細長部材を連結して、前後方向に折れ曲り可能な引戸本体を形成し、引戸を開ける際に、引戸を９０度折り曲げて収納するようにしている。また、特許文献２のものは、可撓性シートの両面に、縦長板状の帯片を複数枚横方向に並べて貼り付けて、前後方向に折れ曲り可能な戸体を形成し、引戸を開ける際に、引戸を９０度折り曲げて収納するようにしている。特許文献１，２のもののようにすれば、引戸を引込部に湾曲させて引き込むことができて、出入口の横幅に比べて、引込部用として小さい横幅のスペースしか確保できない場合にも採用可能になる。
【特許文献１】特開平２−１３６４８７号公報
【特許文献２】特開２０００−１３００５１号公報
【発明の開示】
【発明が解決しようとする課題】
【０００４】
しかしながら、上記従来の折れ曲り引戸の内、特許文献１のものには、構造が複雑でコスト高になる上、関節部が十分に屈曲しないため、引込部内で引戸本体全体を円弧状に湾曲させた状態で収納することになって、引込部の横幅を大きく確保しなければならないという問題点があった。
【０００５】
また、特許文献２のものには、帯片の断面形状が複雑である上、可撓性シートに帯片を剥がれないように貼り付ける作業に手間がかかってコスト高になるという問題点があった。
【０００６】
本発明は、そのような問題点に鑑み、折れ曲り引戸の構造を簡単にして製造コストを低く抑えることができるようにすることを目的とするものである。
【課題を解決するための手段】
【０００７】
前記課題を解決するため、請求項１に記載の折れ曲り引戸は、縦長の板材よりなり、一方の側面に、側面からほぼ直立する状態で上端部から下端部まで伸びる目隠板を有し、他方の側面の前記目隠板に対応する位置に、目隠板を収納可能な竪溝を有している短冊状板複数枚を、内側に折曲可能な状態で側端同士を連結した引戸本体と、部屋出入口の上縁部から部屋内部側壁に渡って９０度湾曲させて水平に配設した上部ガイドレールと、該上部ガイドレールと平行に、部屋出入口の下縁部から部屋内部側壁に渡って９０度湾曲させて配設した下部ガイドレールと、前記短冊状板の上端に水平方向に回転自在に取り付けられ、前記上部ガイドレールに対して長手方向に滑動自在に係合して短冊状板を上部ガイドレールに対して移動自在に吊り下げる吊金具と、前記短冊状板の下端に水平方向に回転自在に取り付けられ、前記下部ガイドレールに対して長手方向に滑動自在に係合して短冊状板下端部を下部ガイドレールに沿ってガイドするガイド金具とを具えたことを特徴とする。
【発明の効果】
【０００８】
本発明の折れ曲り引戸は、一方の側面に目隠板を設け、他方の側面に竪溝を設けた短冊状板を複数枚連結して引戸本体を形成するようにしたので、折れ曲り引戸の構造が簡単で製造コストを低く抑えながら、完全に目隠しができ、また、竪溝は見えず、目隠板も隣接する短冊状板のわずかな隙間部分しか見えないため外観がすっきりして高級感を出すことが可能になる。
【発明を実施するための最良の形態】
【０００９】
以下、本発明の実施例を図面に基づいて詳細に説明する。
【実施例１】
【００１０】
図１は、本発明をトイレに適用した場合を示す図である。図１において、１は柱、２は壁、３は窓、４は竪枠、５は戸尻竪枠、６は便器、７，８は敷居、９は下部ガイドレール、１０は引戸本体、１１は引戸先端部、１２は取手、１３は引戸後端部、１４は短冊状板である。
【００１１】
引戸本体１０は、フラッシュ，集成木材等の縦長の板材よりなる短冊状板１４の複数枚を、トイレ内側に折曲可能な状態で側端同士を連結して形成し、その先端部に短冊状板１４よりやや幅広の引戸先端部１１を連結し、後端部には、引戸後端部１３を連結している。そして、引戸先端部１１には、内外の適当な高さ位置に取手１２を取り付けている。
【００１２】
図２に示すように、短冊状板１４には、一方の側面に、上端部から下端部まで側面からほぼ直立する状態で伸びる目隠板１５を取り付け、他方の側面の前記目隠板１５に対応する位置に、目隠板を収納可能な竪溝１６を設けている。目隠板１５は、プラスチック又は金属板により形成され、断面がＬ字状になっており、その一面を短冊状板１４の側面に当ててビス止め、接着等により取り付けている。また、竪溝１６は、断面扇状に形成されている。
【００１３】
そのような短冊状板１４の複数枚を、折曲可能な状態で側端同士を連結している。図２（イ）は、平面状になっている状態を示し、目隠板１５は、竪溝１６の中にすっぽり収められていて、隣接する短冊状板１４，１４の間に隙間ができても、目隠板１５により隙間を塞いで、トイレの外側から内側が見えないようにしている。引戸本体１０が閉じられているときは、すべての短冊状板１４がこのような状態になっている。
【００１４】
一方、図２（ロ）は、引戸本体１０が屈曲している状態を示しており、屈曲する際に、目隠板１５の先端部は竪溝１６の中で回動でき、引戸本体１０は支障なく屈曲できる。引戸が開けられるときは、引戸本体１０がこのように９０度屈曲して壁２に沿って収納される。その結果、引戸の引込部として、横方向にほとんどスペースをとれない場合にも、引戸を採用できるようになる。
【００１５】
短冊状板１４の上端面には、図３（イ）に示すような上部取付金具２０が取り付けられる。上部取付金具２０は、アルミニウム板，ステンレス板又は鋼板等により形成され、両端部は直角に折り曲げられて折曲片２１が形成されており、両側の折曲片２１，２１により短冊状板１４上下端の側面を挟むようにしながら、上部取付金具２０が短冊状板１４上端面に当接される。
【００１６】
上部取付金具２０の中央には吊りボルト孔２２が設けられ、それに、後述する吊ボルトが螺入されて、吊金具が取り付けられる。吊りボルト孔２２の両側には固定ネジ孔２３，２３が設けられていて、また、折曲片２１の中央にも固定ネジ孔２５が設けられていて、それらに木ネジを通してねじ止めすることにより、短冊状板１４に上部取付金具２０を固定する。２４は、後述するヒンジ金具を取り付けるためのヒンジ金具取付孔である。
【００１７】
短冊状板１４の下端面には、図３（ロ）に示すような下部取付金具２６が取り付けられる。下部取付金具２６は、アルミニウム板，ステンレス板又は鋼板等により形成され、中央にはガイド金具ボルト孔２７が設けられ、それに、後述するガイド金具取付ボルトが螺入されて、ガイド金具が取り付けられる。金具ボルト孔２７の両側には固定ネジ孔２８，２８，２８，２８が設けられていて、それらに木ネジを通してねじ止めすることにより、短冊状板１４下端面に下部取付金具２６を固定する。２９は、後述するヒンジ金具を取り付けるためのヒンジ金具取付孔である。なお、固定ネジ孔２３，２５，２８には、ネジの頭が出っ張らないように皿もみが施されている。
【００１８】
図４は、ヒンジ金具を示す図である。ヒンジ金具３０，３１は、アルミニウム板，ステンレス板又は鋼板等により形成され、上部取付金具２０のヒンジ金具取付孔２４，２４に対応する位置に、ビス孔３２，３４が設けられている。ビス孔３２，３４にも、ビスの頭が出っ張らないように皿もみを施こす。また、一方のヒンジ金具３１の軸孔３５がある先端部分に段部３６を設けて、ヒンジ金具３１の先端部分が、他方のヒンジ金具３０の先端部分の上に重ね合わさるようにして軸孔３３，３５を一致させられるようにしている。
【００１９】
図５は、短冊状板の上下端面の連結状態を示し、図５（イ）は上端面、図５（ロ）は下端面をそれぞれ示している。短冊状板１４の上端面及び上端側面には、上部取付金具２０がぴたりと嵌るように幅広で浅い溝を設けており、その溝の中に上部取付金具２０を嵌め込み、固定ボルト孔２３，２５に木ネジ３７を差し込んでネジ止めしている。そして、その溝の中に上部取付金具２０を嵌め込み、固定ボルト孔２３，２５に木ネジ３７を差し込んでネジ止めしている。さらに、軸孔３３，３５が一致するようにヒンジ金具３０，３１の先端部を重ね合わせ、回転軸３８を挿入して、回動自在に一体化する。また、短冊状板１４の下端面にも、下部取付金具２６がぴたりと嵌るように幅広で短冊状板１４の上端面の溝よりやや深い溝を設けている。そして、その溝の中に下部取付金具２６を嵌め込み、固定ボルト孔２８，２８に木ネジ３７を差し込んでネジ止めしている。さらに、軸孔３３，３５が一致するようにヒンジ金具３０，３１の先端部を重ね合わせ、回転軸３８を挿入して、回動自在に一体化する。そのように、短冊状板１４の下端面の溝をやや深くしたことにより、ヒンジ金具３０，３１と回転軸３８を取り付けた状態でも、回転軸３８の下端が短冊状板１４の下端面から突出せず、その分、短冊状板１４の下端面と敷居７との間隔を小さくすることができ、高い密閉性が得られる。
【００２０】
そのようにして上部取付金具２０及び下部取付金具２６を取り付けた短冊状板１４の側面同士を対向させて突合せ、上部取付金具２０，下部取付金具２６のヒンジ金具取付孔２４，２４，２９，２９に、ビス孔３２，３４を合わせてヒンジ金具３０，３１を当接し、ビス３９，３９，３９，３９で取り付ける。そのヒンジ部を横方向からみると図６のようになる。そのようにヒンジ金具３０，３１で内側に折曲可能な状態で側端同士を連結して引戸本体１０を形成するようにした結果、引戸本体１０が折れ曲り可能になっている。
【００２１】
なお、ヒンジ金具としては、図４のもの以外にも、図７（イ），（ロ）に示すように、軸孔３３，３５がある先端部の厚さを薄くして重ね合わせるようにしてもよい。
【００２２】
図８は、上部ガイドレールと吊り金具とを示す図である。図８において、符号１４，２０，２２は、図５のものに対応しており、４０は鴨居、４１は上枠、４２は目隠、４３は上部ガイドレール、４４は吊ローラ、４５は固定板、４６はボルト固定具、４７は吊ボルト、４８はナットである。上部ガイドレール４３は、トイレ出入口の上縁部を形成する鴨居４０からトイレ内部側壁上部に渡って９０度湾曲させて配設されている。
【００２３】
上部ガイドレール４３の内側には、両縁部が上方に折り曲げられて平行なレールを形成しており、その上を回転しながら移動できるように吊ローラ４４，４４が設けられている。吊ローラ４４，４４は、固定板４５の両端に回転自在に取り付けられている。固定板４５には、所定範囲内で上下方向に滑動し、かつ、水平方向に回動自在にボルト固定具４６が設けられ、該ボルト固定具４６に吊ボルト４７を螺合させ、ナット４８で緩まないように固定した吊金具が全短冊状板１４及び引戸先端部１１に対応させて設けている。
【００２４】
そして、それらの吊ボルト４７を各短冊状板１４及び引戸先端部１１の上端に取り付けた上部取付金具２０の吊りボルト孔２２にねじ込んで、各短冊状板１４及び引戸先端部１１に吊金具を取り付ける。その際、吊ボルト４７のねじ込み具合を調整することにより、引戸本体１０の高さ調節ができる。そのようにして、上部ガイドレール４３に対して長手方向に吊金具が滑動自在に係合され、引戸本体１０が上部ガイドレール４３に対して移動自在に吊り下げられる。
【００２５】
図９は、下部ガイドレールとガイドローラとを示す図である。図９において、符号７，９，１４，２６は、図１及び図５のものに対応しており、５０はガイドボルト、５１はガイドローラである。下部ガイドレール９は、上部ガイドレール４３と平行に、トイレ出入口の下縁部を形成する敷居７からトイレ内部側部下縁に設けられた敷居８に渡って９０度湾曲させて配設されている。全短冊状板１４及び引戸先端部１１の下端に取り付けた下部取付金具２６のガイド金具ボルト孔２７にガイドボルト５０をねじ込んで、該ガイドボルト５０の下端部にガイドローラ５１を設けている。ガイドローラ５１は、水平方向に回転自在になっており、下部ガイドレール９に対して長手方向に滑動自在に係合して各短冊状板１４及び引戸先端部１１の下端部を下部ガイドレール９に沿ってガイドする。
【００２６】
なお、上記実施例では、本発明をトイレのドアに適用した場合で説明したが、それに限定されず、本発明は、トイレ以外の任意の部屋の出入口に適用できる。
【図面の簡単な説明】
【００２７】
【図１】本発明をトイレに適用した場合を示す図である。
【図２】引戸本体の一部水平断面図である。
【図３】取付金具を示す図である。
【図４】ヒンジ金具を示す図である。
【図５】短冊状板の上下端面の連結状態を示す図である。
【図６】短冊状板のヒンジ部を示す図である。
【図７】ヒンジ金具の他の例を示す図である。
【図８】上部ガイドレールと吊り金具とを示す図である。
【図９】下部ガイドレールとガイドローラとを示す図である。
【符号の説明】
【００２８】
７，８…敷居
９…下部ガイドレール
１０…引戸本体
１２…取手
１４…短冊状板
１５…目隠板
１６…竪溝
２０…上部取付金具
２１…折曲片
２２…吊りボルト孔
２６…下部取付金具
２７…ガイド金具ボルト孔
３０，３１…ヒンジ金具
３３，３５…軸孔
４０…鴨居
４３…上部ガイドレール
４４…吊ローラ
４７…吊ボルト
５１…ガイドローラ
【図１】
2006016767.tif 000003
【図２】
2006016767.tif 000004
【図３】
2006016767.tif 000005
【図４】
2006016767.tif 000006
【図５】
2006016767.tif 000007
【図６】
2006016767.tif 000008
【図７】
2006016767.tif 000009
【図８】
2006016767.tif 000010
【図９】
2006016767.tif 000011